(57)【要約】【課題】映像表示装置において、内蔵する冷却ファンの回転に伴う振動が装置全体に伝達される現象を改善する。【解決手段】冷却ファンは取付け金具に対して、剛性の大きい四隅のうち一方の対角線上二点でネジ締めされる。残る一方の対角線上二点には、冷却ファンの取付け金具に対する相対的な位置を定める位置決め部が設けられる。取付け金具側の位置決め部は突出部を有し、冷却ファン側の位置決め孔に挿入される。冷却ファンと取付け金具の間には防振材を設けない。二つの突出部は互いに特定方向における断面形状が異なるため、ガタの発生が低減される。二つの突出部は、冷却ファンの裏面と接触しない。【選択図】図２
2011180233.tif 000002
【特許請求の範囲】
【請求項１】
映像を表示するための映像表示装置であって、
前記映像を表示する映像表示部と、
前記映像表示部の背面側において取付けられた取付け器具と、
該取付け器具に対し二点で固定して取付けられた冷却ファン
を有することを特徴とする映像表示装置。
【請求項２】
請求項１に記載の映像表示装置において、前記冷却ファンは略四角形のフレーム部を有し、前記冷却ファンは前記取付け器具に対して、前記フレーム部のいずれかの対角線上の両端部２箇所に設けられた取付け部で固定して取付けられたことを特徴とする映像表示装置。
【請求項３】
請求項１に記載の映像表示装置において、前記取付け器具を前記映像表示部に取付ける第１の取付けネジ群と、前記冷却ファンを前記取付け器具に固定して取付ける第２の取付けネジ群を有し、前記取付け器具が前記映像表示部に取付けられる際の第１の取付けネジの進行方向と、前記冷却ファンが前記取付け器具に固定して取付けられる際の第２の取付けネジの進行方向は、略同じ方向であることを特徴とする映像表示装置。
【請求項４】
請求項２に記載の映像表示装置において、前記冷却ファンは前記取付け器具に対して、前記フレーム部の残る一方の対角線上の両端部２箇所に設けられた位置決め部で位置決めされたことを特徴とする映像表示装置。
【請求項５】
請求項４に記載の映像表示装置において、前記冷却ファンの２箇所の位置決め部は所定の大きさの貫通孔であり、前記取付け器具は、前記貫通孔に挿入して前記冷却ファンの位置決めを行う２個の突出部を有することを特徴とする映像表示装置。
【請求項６】
請求項５に記載の映像表示装置において、前記２個の突出部のうち、１個の突出部が突出する方向に対して直交する方向に有する断面は、所定の方向に長い略長方形または略楕円形であり、残る１個の突出部が突出する方向に対して直交する方向に有する断面は、前記所定の方向に対して略直交する方向に長い略長方形または略楕円形であることを特徴とする映像表示装置。
【請求項７】
請求項６に記載の映像表示装置において、前記冷却ファンの貫通孔の形状は略円形であり、前記突出部の断面における長方形の長辺または楕円形の長径は、前記冷却ファンの貫通孔の直径に略等しいことを特徴とする映像表示装置。
【請求項８】
請求項５に記載の映像表示装置において、前記突出部における突出する方向の長さは、前記冷却ファンのフレーム部が前記取付け器具に対して、前記冷却ファンの取付け部以外においては接触しない値であることを特徴とする映像表示装置。
【発明の詳細な説明】
【技術分野】
【０００１】
本発明は映像表示装置に係り、特に冷却ファンの回転に伴う振動音を低減した映像表示装置に関するものである。
【背景技術】
【０００２】
例えばプラズマ表示装置のような薄型テレビにおいては、筐体内の狭い空間を利用して装置の内部で発生した熱を外部に放熱するために、冷却ファンを備えるものがある。冷却ファンを備えた薄型テレビにおいては、冷却ファンの回転に伴う振動音が発生するために、これを低減することが良好な視聴環境を得る上で好ましい。
特許文献１と特許文献２は、映像表示装置に使用する冷却ファンを防振ゴムで固定し、前記した振動音を低減する方法を開示している。
【先行技術文献】
【特許文献】
【０００３】
【特許文献１】特開２００８−１３０７６６号公報
【特許文献２】特開平９−２７０９７５号公報
【発明の概要】
【発明が解決しようとする課題】
【０００４】
従来は、冷却ファンのフレーム部は冷却ファンの取付け金具に対して、双方の間に防振ゴムなどの吸振材を挟んだうえで、互いにネジ締めして取付けられることが一般的であった。吸振材を挟んでいても冷却ファンの回転に伴う振動が取付け金具に伝わるため、前記取付け金具をプラズマパネルなどの表示パネルの裏面にダンパとネジで取付けることで、振動の伝播を低減していた。また、冷却ファンを取付け金具へ取付ける際は、冷却ファンのフレーム部周辺の三点ないし四点でネジ締めしていた。
【０００５】
ここで、冷却ファンのフレーム部或いは冷却ファンの取付け金具のいずれかが変形している場合（すなわち、フレーム部或いは取付け金具の対角４点にあるネジ締め部が同一平面上に存在しない場合）、ネジ締め箇所が多いと冷却ファンのフレーム部に上記変形に伴う荷重或いは応力が加わって歪みを生じ、却ってファンの回転に伴う振動を増大させる要因となる。
本発明の目的は前記した問題に鑑み、冷却ファンの回転に伴う振動音を低減し好ましい視聴環境を得ることが可能な映像表示装置を提供することにある。
【課題を解決するための手段】
【０００６】
本発明は、映像を表示するための映像表示装置であって、前記映像を表示する映像表示部と、映像表示部の背面側に取付けられた取付け器具と、該取付け器具に対し二点で固定して取付けられた冷却ファンを有することを特徴としている。
【０００７】
また本発明は、前記した映像表示装置において、前記冷却ファンは略四角形のフレーム部を有し、前記冷却ファンは前記取付け器具に対して、前記フレーム部のいずれかの対角線上の両端部２箇所に設けられた取付け部で固定して取付けられることを特徴としている。
【発明の効果】
【０００８】
本発明によれば、冷却ファンの回転に伴う振動音を低減した映像表示装置を提供でき、ユーザに対して好ましい視聴環境を作るうえで寄与できるという効果がある。
【図面の簡単な説明】
【０００９】
【図１】本発明の一実施例における映像表示装置の背面図である。
【図２】本発明の一実施例における冷却ファンの取付け方法を示す外観図である。
【図３】従来の冷却ファンの取付け方法を示す外観図である。
【図４】本発明の一実施例における冷却ファンの周辺の正面図である。
【図５】本発明の一実施例における冷却ファンの周辺の側面図である。
【図６】本発明の一実施例における冷却ファンの周辺の部分拡大図である。
【図７】本発明の一実施例における冷却ファンの周辺の別な部分拡大図である。
【図８】本発明の一実施例における位置決め用の突出部２２ａ、２２ｂの一構成例を示す図である。
【発明を実施するための形態】
【００１０】
以下、本発明の実施例につき図面を用いて説明する。
図１は、本発明の一実施例における映像表示装置の背面図であり、背面の外装を除去した状態を模式的に示している。プラズマディスプレイパネル（ＰＤＰ）などによる表示パネル３は映像表示装置の筐体５に対して、装置の前面側（図の奥側）に取付けられている。表示パネル３の背面側（図の手前側）には、取付け金具２ａ〜２ｄが後記するようにネジとダンパを用いて取付けられている。さらに取付け金具２ａ〜２ｄの各々には、冷却ファン１ａ〜１ｄが後記する方法で取付けられている。なお、冷却ファン１ａ〜１ｄと取付け金具２ａ〜２ｄについて、ここでは４個を有する場合を示したが、これは一例であって本実施例の限定条件ではない。さらに多数を備えても良く、１個だけであっても良い。以下、複数の冷却ファンないし取付け金具に共通する事項を記述する際は、単に冷却ファン１ないし取付け金具２と記することにする。なお後記するように本実施例においては、冷却ファン１の周囲のうち多くの部分は取付け金具２との間に、例えば防振材などを挟むことなく隙間で隔てるようにしている。
【００１１】
筐体５は、５つの回路基板４ａ〜４ｅを内蔵している。もちろん、回路基板の数を５つとしたのも一例であり何個であっても良い。回路基板４ａ〜４ｅとしては、例えば電源回路、受信回路、映像信号や音声信号の信号処理回路、（表示パネル３がＰＤＰであれば）Ｘサステイン基板、Ｙサステイン基板などがあり、これらは表示パネル３の背面側のシャーシに取付け固定されている。これら回路基板により、表示パネル３や図示しないスピーカに対して受信処理した映像信号や音声信号、及び駆動信号を供給している。なお、回路基板４ａ〜４ｅを表示パネル３の背面側のシャーシに対して固定するための構成要素については、図１では煩雑化を避けるために省略している。
【００１２】
図２は、本発明の一実施例における冷却ファン１の取付け方法を示す外観図である。冷却ファン１は回転部１１とフレーム部１２を有する。周知のとおり、回転部１１がフレーム部１２に搭載されたモータ（図示せず）の回転により回転され、周辺の空気を移動させて映像表示装置の内部を冷却する。フレーム部１２の四隅のうち、対角線上の２点にはネジ締め孔１３ａ、１３ｂが、残る一方の対角線上の２点には位置決め孔１４ａ、１４ｂが設けられている。図２ではネジ締め孔１３ａ、１３ｂを左上と右下に、位置決め穴１４ａ、１４ｂを右上と左下に配置したが、もちろんこれらは逆であっても良い。なお、ネジ締め孔１３ａ、１３ｂ、位置決め孔１４ａ、１４ｂは、いずれも貫通孔とする。
【００１３】
一方、先の冷却ファン１を固定するための取付け金具２は、本実施例では冷却ファン１が映像表示装置の斜め上方向に向けて空気を放出するよう位置決めされ、取付けられている。取付け金具２に冷却ファン１を嵌込んだ際に、冷却ファン１のネジ締め孔１３ａ、１３ｂと対向する位置に取付け金具２のネジ締め孔２１ａ、２１ｂ（２１ａは図示せず）が、冷却ファン１の位置決め孔１４ａ、１４ｂと対向する位置に取付け金具２の位置決め用の突出部２２ａ、２２ｂ（２２ｂは図示せず）が位置するようにしている。なお、ネジ締め孔２１ａ、２１ｂは貫通孔であって良い。
【００１４】
特に位置決め用の突出部２２ａ、２２ｂについては、突出する正面方向から（取付け金具２の開口を正面から）見た形状（断面形状）が、例えば図８に示されるように、２２ａでは一方向（縦方向）に長い例えば長方形の形状であるとすれば、２２ｂでは２２ａとは略直角な方向（横方向）に長い例えば長方形の形状であることに一つの特徴がある。もちろん長方形としたのは一例であって例えば楕円形であっても良い。即ち、このように突出部２２ａ、２２ｂを構成することにより、双方が冷却ファン１の位置決め孔１４ａ、１４ｂに挿入された際に（この時の１４ａと１４ｂの位置を図中の破線で示す）、特定の方向とこれに直角な方向の、いずれの方向に対しても、ガタが少なくなるように機能することができる。また図８に示されるように、位置決め用の突出部２２ａ、２２ｂの前記形状が長方形である場合には長辺の長さが、楕円形である場合には長径の長さが、冷却ファン１の位置決め孔１４ａ、１４ｂの直径に近い（当然ながら、やや小さい）値とされる。
【００１５】
図２において、取付け金具２の位置決め用の突出部２２ａ、２２ｂは、冷却ファン１の位置決め孔１４ａ、１４ｂに挿入され、冷却ファン１をガタの少ない状態で位置決めする。その後、冷却ファン１のネジ締め孔１３ａ、１３ｂと取付け金具２のネジ締め孔２１ａ、２１ｂに、ファン固定用ネジ２４ａ、２４ｂがネジ締めされ、冷却ファン１と取付け金具２が互いに固定される。
【００１６】
取付け金具２は、表示パネル３の背面側のシャーシに設けられたボス（後に３１として図示する）に取付け金具２を取付けるためのネジ締め孔を有し、その周辺には例えばゴムを用いたダンパ２３ａ１〜２３ｃ１（２３ｃ１は図示せず）が設けられている。ダンパ２３ａ１〜２３ｃ１の中心孔に取付け金具取付け用ネジ２３ａ〜２３ｃ（２３ｃは図示せず）がネジ締めされ、取付け金具２は表示パネル３の背面側のシャーシにダンパ２３ａ１〜２３ｃ１を介して取付けられる。
【００１７】
なお、取付け金具２の表示パネル３とは反対側の面には、例えばスポンジを用いたクッション材２５が取付けられる。冷却ファン１は映像表示装置の背面をカバーする外装に設けられた通気孔（図示せず）に向けて、空気を送出している。このため、取付け金具２のうち通気孔に対向した面の周辺部分には、冷却ファン１の送出する空気が装置の内部に逆流しないためのクッション材２５を設け、背面をカバーする外装との間を遮ると良い。このクッション材２５は、取付け金具２が映像表示装置の背面をカバーする外装と直接的に接触することによる異常音の発生を抑制する機能も併せ持つ。
【００１８】
図３は、従来の冷却ファンの取付け方法を示す外観図である。まず、冷却ファン１００には、フレーム部周辺の四隅にファン用のダンパ１００１（煩雑化を避けるため１個のみに番号を付す）が嵌込まれる。押さえ金具１００２は、取付けネジ１００３によりダンパ１００１を圧縮しながら、取付け金具２００の内側へ冷却ファン１００を取付ける。ダンパ２３００ａ１〜２３００ｃ１（２３００ｃ１は図示せず）の中心孔に取付け金具取付け用ネジ２３００ａ〜２３００ｃ（２３００ｃは図示せず）がネジ締めされ、取付け金具２００は表示パネル３の背面側のシャーシにダンパ２３ａ１〜２３ｃ１を介して取付けられる。取付け金具２の、背面をカバーする外装に設けられた通気孔に対向した面の周辺部分には、クッション材２５００が設けられる。これは、送出する空気が装置の内部に逆流することを防ぐとともに、取付け金具２が映像表示装置の背面をカバーする外装と直接的に接触することによる異常音の発生を抑制する。
【００１９】
図２に示した本発明の実施例は図３に示した従来例に対して、組立時に次のような長所がある。まず図３の場合には、冷却ファン１００にダンパ１００１を取付けて、取付け金具２００に設置し、押さえ金具１００２と取付けネジ１００３で固定する。この後に、取付け金具２００を反転して、クッション材２５００を取付け金具２００に貼付ける。このため、取付け金具２００に対し、２方向からの組立を行うため、反転作業に手間を要し、加工費の増加につながる。また、取付け金具２００は、金具取付け用ネジ２３００ａ〜２３００ｃを用いて表示パネル３の背面側のシャーシに取付けられるが、動作不良などにより冷却ファン１００を交換する際には、表示パネル３から取付け金具２００を取外したうえで、冷却ファン１００を外す必要がある。
【００２０】
これに対して本実施例の場合には、金具取付け用ネジ２３ａ〜２３ｃとファン固定用ネジ２４ａ、２４ｂは同じ方向にネジ締めされる。このため、前記した反転作業の手間が不要であることはもちろん、冷却ファン１００を交換する際には、ファン固定用ネジ２４ａ、２４ｂを外すだけで良く、取付け金具２を表示パネル３から外す手間も不要である。このため、本実施例は組立作業を容易にし、事後のサービス性を向上する効果がある。また図３のダンパ１００１は不要であるため、部品点数を低減する効果もある。
【００２１】
さらには、図３の取付け金具２００においては、材料とする板材に対して冷却ファンの回転部に相当するだけの大きな穴を開ける必要があり、材料のロスが大きい問題がある。これに対して図２の取付け金具２においては、主に板材の箱曲げ加工で作成できるため、材料のロスは少ない。このため、材料の有効利用と装置の価格低減に寄与することができる。
【００２２】
図４は、本発明の一実施例における冷却ファンの周辺の正面図である。図４は、図１と略同じ方向から描いている。取付け金具２は表示パネル３の背面側のシャーシに対して、ダンパと取付けネジ２３ａ〜２３ｃを用いて取付けられる。
一方、冷却ファン１は取付け金具２に対して、前記したように取付けネジ２４ａと２４ｂを用いて固定される。この際、本実施例においては従来例とは異なり、冷却ファン１と取付け金具２の間の隙間１２０には吸振材を設けないことに一つの特徴がある。また双方が隙間１２０の部分で、取付け時の若干のガタ、寸法のバラツキや振動によって接触しないよう、隙間１２０の幅を例えば２ｍｍ程度設けるように、冷却ファン１に対する取付け金具２の大きさを定める。これにより、冷却ファン１の回転に伴う振動が取付け金具２に伝達し、さらに映像表示装置全体に伝達される現象を低減している。
【００２３】
一般に金属材料においては、曲げ加工を行った部分は剛性が増加する傾向にある。従い冷却ファン１のフレーム部１２や取付け金具２においては、先にネジ締め孔１３ａ、１３ｂと位置決め用の突出部２１ａ、２１ｂを設けた四隅の部分の剛性は高い。これに比較して、隙間１２０に面した直線部分の剛性は低い。一般に剛性の高い部分で二つの物体を固定すると、双方の間で伝達される振動を小さくすることができる。
【００２４】
さらに固定する強度が得られる限りは、ネジ締め箇所は少ないことが望ましい。冷却ファン１のフレーム部１２或いは取付け金具２のいずれかが変形している場合、すなわち、フレーム部１２或いは取付け金具２の対角４点にあるネジ締め部が同一平面上に存在しない場合、先の冷却ファン１を例えば位置決め孔１４ａ、１４ｂも含め４箇所でネジ締めして固定すると、冷却ファン１のフレーム部１２に上記変形に伴う荷重或いは応力が加わって歪みを生じ、ファンの回転に伴う振動を増大させる要因となるからである。ネジ締め箇所を３箇所としても同様である。
【００２５】
以上の事項を考慮して本実施例においては、冷却ファン１は剛性の大きい四隅のうち、対角線上の二点のみで取付け金具２にネジ締めすることでフレーム部２に加わる荷重或いは応力による歪みを低減させる。また比較的剛性の小さい直線部分には例えば２ｍｍ程度の隙間１２０を設けるようにして、互いに接触させない。また防振材をこの隙間に設けることはしない。これにより振動の発生と伝達を低減することができる。またこのようにすれば、防振材のほか、防振材を支持するための構成要素も不要であるため部品点数を低減でき、さらにその加工費や材料費も低減することができる。防振材は経時変化による材料の劣化があるので信頼性を損なう場合もあるが、本実施例ではかかる問題がなくなる。さらに部品点数の低減と一方向からの組立により、アフタサービス時のサービス性を向上することができる。
【００２６】
図５は、本発明の一実施例における冷却ファン１の周辺の側面図であり、図４の左側から描いたものである。図６は、本発明の一実施例における冷却ファン１の周辺の部分拡大図であり、図５の取付けネジ２３ｂの中心を通る縦方向の断面を示している。図７は、本発明の一実施例における冷却ファンの周辺の別な部分拡大図であり、ファン固定用ネジ２４ａの中心を通る縦方向の断面を図５の方向から示している。
【００２７】
図５から分かるように、図４で見て冷却ファン１のフレーム部１２の裏面と突出部２２ｂ（及び２２ａ）は、互いに接触しない。即ち、冷却ファン１のフレーム部１２と取付け金具２は、前記ネジ締め部以外では取付け金具２に接触しない。これにより、冷却ファン１の回転に伴う振動が、取付け金具２を介して映像表示装置全体に伝達される現象を、いっそう低減することができる。また図５と図６から分かるように、取付けネジ２３ａと２３ｂは表示パネル３の背面側のシャーシに設けられたボス３１に対してネジ締めを行い、取付け金具２は表示パネル３のボス３１に対してダンパ２３ａ１〜２３ｃ１を介して取付けられている。また図７から分かるように、冷却ファン１と取付け金具２の間には、特にダンパなどを設けることなく、互いにファン固定用ネジ２４ａによりネジ締めされており、剛性の高い部分で互いに直接接触させることにより、振動の伝達を低減している。
ここまで示した実施形態は一例であって、本発明を限定するものではない。例えば取付け金具の構成や形状は、様々なものを使用できる。冷却ファンの取付け位置も特に限定されない。このように本発明の趣旨に基づきながら異なる実施形態を考えられるが、いずれも本発明の範疇にある。
【符号の説明】
【００２８】
１：冷却ファン、２：取付け金具、１３ａ，１３ｂ，２１ａ，２１ｂ：ネジ締め孔、１４ａ，１４ｂ：位置決め孔、２２ａ，２２ｂ：位置決め用の突出部、１２０：隙間。
【図１】
2011180233.tif 000003
【図２】
2011180233.tif 000004
【図３】
2011180233.tif 000005
【図４】
2011180233.tif 000006
【図５】
2011180233.tif 000007
【図６】
2011180233.tif 000008
【図７】
2011180233.tif 000009
【図８】
2011180233.tif 000010